(57)【要約】【課題】一斉開放弁における制御室からの排水量を制限でき、これにより弁体の開放速度を遅くして、配管の水撃作用を防止すること。【解決手段】感知ヘッド３６が取り付けられた感知用配管３５が接続される制御室１４と、開放型ヘッド１１が取り付けられた二次側配管１２が接続される二次側室４と、給水源側（９，１０）に接続される一次側室３とを有する一斉開放弁１Ｃを備えた消火設備において、前記感知用配管３５又は前記制御室１４の感知用配管の接続口３４に、前記感知用配管内を流れる流量を調整する流量調整装置４０（４２）を設けたことを特徴とする。【選択図】図１
2004298507.tif 000002
【特許請求の範囲】
【請求項１】
感知ヘッドが取り付けられた感知用配管が接続される制御室と、開放型ヘッドが取り付けられた二次側配管が接続される二次側室と、給水源側に接続される一次側室とを有する一斉開放弁を備えた消火設備において、
前記感知用配管又は前記制御室の感知用配管の接続口に、前記感知用配管内を流れる流量を調整する流量調整装置を設けたことを特徴とする消火設備。
【発明の詳細な説明】
【０００１】
【発明の属する技術分野】
この発明は、消火設備に関するもので、特に開放型の消火ヘッドを有する消火設備に関するものである。
【０００２】
【従来の技術】
従来、地下駐車場などには、一斉開放弁を備えた泡消火設備が設置されている。この泡消火設備は、特許文献１などに開示されている。図２にこの従来の泡消火設備のシステム図を示す。
【０００３】
図２において、６は流水検知装置であり、その一次側には、泡消火ユニットが設けられている。泡消火ユニットは、混合器７、原液タンク８、及び給水源（貯水槽９とポンプ１０）とから構成されている。この泡消火ユニットの混合器７により、火災時には、貯水槽９の水と原液タンク８の泡原液とが混合されて、泡水溶液が生成され、流水検知装置６の二次側に供給される。
【０００４】
流水検知装置６の二次側には、一斉開放弁１が設けられる。一斉開放弁１本体には、一次側室３と、二次側室４と、制御室１４（ピストン室ともいう）とが形成されている。一次側室３は一次側配管５を介して流水検知装置６に接続される。また二次側室４には、開放型ヘッドとしての泡ヘッド１１が取り付けられた二次側配管１２が接続され、そして制御室１４には、感知ヘッド３６が取り付けられた感知用配管３５が接続されている。
【０００５】
また図において、２１は弁体であり、常時バネ２３によって下方に付勢されており、通常時は、一次側室３と二次側室４間を閉鎖し仕切っている。２５は一次側室３から制御室１４方向へのみ流れる逆止弁構造のオリフィスである。このオリフィス２６（２５）により、通常時は一次側室３からの水が流入路２４を経て制御室１４へ流入し、制御室１４内を満たして、弁体２１を閉鎖している。
【０００６】
この泡消火設備は、感知ヘッド３６が火災時の熱により開放すると、制御室１４内の水が感知用配管３５を通って、その開栓した感知ヘッド３６から流出する。この際、オリフィス２６を通って、一次側室３から制御室１４へ水が流れこむが、その水量は、オリフィス２６によって絞られているため、感知ヘッド３６から流出する水量に追いつかない。このため一次側室３の水圧、つまり弁体２１を押し上げる力が、バネ２３の力を上回って、弁体２１を開放させる。これにより二次側室４へ泡水溶液が供給されることになり、二次側配管１２に接続された、複数の泡ヘッド１１から泡が放出されて火災を消火する。
【０００７】
【特許文献１】
特開平８−８４７８４号公報
【０００８】
【発明が解決しようとする課題】
この消火設備における一斉開放弁１では、感知ヘッド３６が開栓すると、制御室１４内の水が抜けることで、弁体２１が急激に弁座１９から離れて一気に全開にまで至ってしまう。このため一次側配管５内の高圧消火水が、充水されていない二次側配管１２内に高速で圧送されることになる。この消火水は管路を経て、泡ヘッド１１のノズル口でその流れが急激に絞られると、流速が急に落とされ、極めて大きな衝撃がノズルや配管設備にかかる。
【０００９】
このように、弁体２１の開閉が急速に行われると、一次側室３の加圧水が一気に流れたり、また止まったりすることで、配管系統に水撃作用が生じてしまう。
【００１０】
【課題を解決するための手段】
本発明は、以上の問題点を解決するためになされたものであり、感知ヘッドが取り付けられた感知用配管が接続される制御室と、開放型ヘッドが取り付けられた二次側配管が接続される二次側室と、給水源側に接続される一次側室とを有する一斉開放弁を備えた消火設備において、前記感知用配管又は前記制御室の感知用配管の接続口に、前記感知用配管内を流れる流量を調整する流量調整装置を設けたことを特徴とする消火設備。
【００１１】
【発明の実施の形態】
図１は本実施形態の消火設備の系統図である。本実施形態と従来例との違いは、制御室１４の感知用配管３５の接続口３４に、感知用配管３５内を流れる流量を調整する流量調整装置４０を設けた点である。一斉開放弁１Ｃにおける流量調整装置４０以外の部分は、従来例と同じなので、同じ符号を付け説明を省略する。
【００１２】
この流量調整装置４０は、接続口３４に設けたオリフィス４１から構成され、このオリフィス４１によって、制御室１４から感知用配管３５への排水量を制限することができる。なお、オリフィス４１の径は、流入路２４に設けたオリフィス２６（２５）の径よりは大きく形成されている。
【００１３】
このような一斉開放弁１Ｃを備えた消火設備において、火災が発生して動作する場合について説明する。感知ヘッド３６が火災時の熱により開放すると、制御室１４内の水が感知用配管３５を通って、その開栓した感知ヘッド３６から流出する。この際、オリフィス４１によって、制御室１４からの流出量（排水量）が制限されるので、制御室１４内の水は、一気に抜けることなく、徐々に抜けていくことになる。制御室１４へは、オリフィス２６を通って、一次側室３から水が流れこむが、オリフィス２６の径は、オリフィス４１の径よりも小さいため、排水量の方が多い。このため火災時においては、制御室１４内に水が溜まることはない。
【００１４】
制御室１４内の水が減り、一次側室３の水圧による弁体２１を押し上げる力が、バネ２３の力を上回ると、弁体２１が開放し、これにより二次側室４へ泡水溶液が供給される。そして二次側配管１２に接続された、複数の泡ヘッド１１から泡が放出されて火災を消火する。
【００１５】
このように、オリフィス４１を設けることで、制御室１４の水の排水量を制限することで、弁体２１の開放速度を遅くできるので、弁体２１が急激に弁座１９から離れて一気に全開するのを防止できる。従って、弁体２１の急速開放に伴う水撃作用を防止することが可能となる。
【００１６】
なお、流量調整装置は、図１に示すように、感知用配管３５自体に直接設けるようにしてもよい。この場合には、流量調整装置は、ニードル弁４２で構成すればよい。ニードル弁は、管路の流量を規制する絞り弁であり、流量を制御する弁として使用されるものである。このような弁を感知用配管３５に設けても、火災時における制御室１４の排水量を制限することができ、オリフィス４１を設けると同等の効果を得ることができる。
【００１７】
なお、流量調整装置を設けることで、弁体の開放速度が遅くなるが、二次側配管には複数の開放型のヘッドが接続されており、火災時には、開放型ヘッドから防護区域全域に消火剤が放出されるので、弁体の開放遅れによる火災の拡大はほとんど生じない。
【００１８】
【発明の効果】
本発明は以上のように構成され、感知用配管内を流れる流量を調整する流量調整装置を設けたので、一斉開放弁における制御室からの排水量を制限でき、これにより弁体の開放速度を遅くして、配管の水撃作用を防止することができる。
【図面の簡単な説明】
【図１】本発明の消火設備の系統図である。
【図２】従来の泡消火設備のシステム図である。
【符号の説明】
１  一斉開放弁、  ３  一次側室、  ４  二次側室、  ５  一次側配管、
６  流水検知装置、  １１  開放型ヘッド、  １２  二次側配管、
１４  制御室、  ２１  弁体、  ３５  感知用配管、  ３６  感知ヘッド、
４０  流量調整装置、  ４１  オリフィス、  ４２  ニードル弁、
【図１】
2004298507.tif 000003
【図２】
2004298507.tif 000004